(57)【特許請求の範囲】
【請求項１】
移動台車にＸ線装置を搭載した移動形Ｘ線装置において、
前記移動台車へ支柱受け部と軸受けを介して回転自在に立設された支柱と、
前記支柱内に配設された連結棒と、
この連結棒の上部および下部に取付けられそれぞれにワイヤロープが巻き付けられた上部ワイヤ巻取りドラムおよび下部ワイヤ巻取りドラムと、
前記上部ワイヤ巻取りドラムに巻き付けられたワイヤロープへ前記支柱に取り付けられた滑車を介して連結され、かつ前記支柱に沿って上下摺動自在に設けられたスライダーと、
前記下部ワイヤ巻取りドラムに巻き付けたワイヤロープと連結され、当該ワイヤロープに張力を付与するように前記移動台車に収納して設けられたスプリングバランサーと、
を具備したことを特徴とする移動形Ｘ線装置。
【発明の詳細な説明】
【０００１】
【発明の属する技術分野】
本発明はバランス装置に係り、特に移動形Ｘ線装置のＸ線管装置支持器の操作性および装置の小形化に関する。
【０００２】
【従来の技術】
従来の移動形Ｘ線装置のＸ線管装置支持器のバランス装置は以下のようにＸ線管装置をバランス支持していた。
【０００３】
第１の従来例として、支柱の中にバランス用ウエイト（重量比１：１）を使用しているものがある。図３はその例を示すもので、台車１には前輪３０および後輪３１が取付けられている。手押しハンドル１８を有するＸ線装置１６は台車１上に搭載されている。台車１の先端には断面角形空胴の支柱１９が設立されている。Ｘ線管装置１７を支持しているスライダー１４は支柱１９に上下方向に摺動自在に取付けられている。支柱１９の内部には上下に移動可能なようにバランス用ウエイト２０が収納されている。このウエイト２０とスライダー１４とは滑車３２を介してワイヤロープ２１により連結されている。この構成において、ウエイト２０の重量とＸ線管装置１７を含むスライダー１４の重量とは１：１に設計されており、スライダー１４を上下方向に移動させた場合に、スライダーは所望の位置に停止保持されるようになっている。
【０００４】
第２の従来例として、うず巻きバネを複数個内蔵したスプリングバランサーを使用しているものはこのスプリングバランサーからワイヤロープを引き出し支柱上部滑車を経て懸垂していものがある。その例を図４に示す。図３と同一部分は同一番号で示す。台車１の先端にスプリングバランサー２が設けられている。このスプリングバランサー２の上方には、支柱８が回転自在に設立されている。Ｘ線管装置１７を有するスライダー１４はこの支柱８に上下方向に摺動自在に取付けられ、かつ、滑車３２を介してワイヤロープ２１によりスプリングバランサー２に連結されている。このような構成において、スライダー１４はその重量とスプリングバランサー２のスプリングとがバランスするように設計されているので、上下動の任意の位置で保持される。
【０００５】
【発明が解決しようとする課題】
前述の従来技術において、第１の従来例の場合、（１）上下ストロークを稼ぐため、ウエイト２０の長さを短くしているので、ウエイト２０は必然的に太くなり、移動形Ｘ線装置の病院廊下等走行時前方が見にくくなる。即ち、前方視界が悪くなる。（２）重量バランスにウエイト２０を使うため、ウエイト分の重量が増加する。従って装置の総重量が増え、走行操作性を損う。
【０００６】
第２の従来例の場合、（１）スプリングバランサー２分のスペースを確保するために台車１の全長が長くなり、台車を回転させる場合、広いスペースを必要とする。（２）スプリングバランサー２よりワイヤロープ２１を引き出し、支柱８の上部滑車３２を経てＸ線管装置１７を懸垂しているため、支柱８の垂直軸回りの回転は支柱８とスプリングバランサー２とを一体で回転させないと、支柱８内のワイヤロープ２１がよじれる。
【０００７】
本発明の目的は上記欠点を解決し、操作性のよいＸ線管装置支持器を備えた移動形Ｘ線装置を提供することにある。
【０００８】
【課題を解決するための手段】
上記課題を解決するため、本発明は、移動台車にＸ線装置を搭載した装置において、前記台車先端に支柱を回転自在に設立し、この支柱内に連結棒を配設し、この連結棒の上部および下部にそれぞれ上部および下部ワイヤ巻取りドラムを取付け、この上部ワイヤ巻取りドラムに巻き付けたワイヤロープを前記支柱に取り付けた滑車を介して前記支柱に上下摺動自在に取付けたスライダーに連結し、前記下部ワイヤ巻取りドラムに巻き付けたワイヤロープを前記台車に収納したスプリングバランサーに連結したことを特徴とする。
【０００９】
【発明の実施の形態】
図１および図２を用いて本発明の実施例を説明する。図３および図４と同一部分は同一番号で示す。
【００１０】
台車１の前方に支柱受け６が立設され、その底に軸受５を介して支柱８が垂直軸回りに回転自在に立設されている。
この支柱８の上端と下端には各々軸受７，１１が固着され、この各々の軸受中心を通る連結棒９の両端にワイヤ巻取りドラム４及び１０が固定されている。
【００１１】
一方台車１の最適な位置、例えば台車１の上面より上にはみ出さない位置に取付けられたスプリングバランサー２より出たワイヤロープ３は支柱８の下部のワイヤー巻取りドラム４にワイヤー端末をドラム４に固定して巻き付けられている。又、支柱８の上部のワイヤー巻き取りドラム１０にはワイヤーロープ１３が端末をドラム１０に固定して巻き付けられているワイヤロープ１３の片方は支柱８の上端に固定された滑車１２を経て支柱８の外側をコロ１５を介して上下にスライドするスライダー１４に連結されている。スプリングバランサー２に蓄えられたバランス力はワイヤ巻取りドラム４，連結棒９，ワイヤー巻取りドラム１０を経て、スライダー１４の重量（約６０Ｋｇ）をバランスさせるようになっている（これは従来６０Ｋｇのウエイトでバランスされていたものを重量が１５Ｋｇのスプリングバランサーでバランスさせることが可能となる）。
【００１２】
なお、ワイヤ巻取りドラム４及び１０の径はスライダー１４の重量とスプリングバランサー２の出力（張力）を考慮して決めることができる。
【００１３】
上記構成によりＸ線撮影のためにスライダー１４の先端に支持された（図示なし）Ｘ線管装置を任意の方向に向ける場合、スライダー１４と一体で支柱８が支柱受け６の中で回転する。この場合ワイヤロープ３は、ワイヤー巻取りドラム４に巻き取られるか、又はスプリングバランサーのうず巻きバネに吸収されるかしてワイヤーがたるむことなく回転する。
【００１４】
【発明の効果】
本発明によれば、ウエイトを使用しないので、支柱を細くでき、前方視界が向上する。一例として、従来装置の支柱太さは１４０×１８０ｍｍであったものが、本発明の支柱の太さは７５ｍｍ又は７５φとすることができる。
【００１５】
また、ウエイトバランスをスプリングバランサーにすることで、Ｘ線管装置支持重量を軽量化できる。一例として従来装置の支持器重量１２０Ｋｇを本発明によれば７５Ｋｇ程度にできる。そして、スプリングバランサーを台車の上面よりはみ出さない位置に設置することにより、台車全長が短くできる。
更に、Ｘ線撮影のために支柱を回転してもワイヤーを使ってないのでよじれない。
【００１６】
以上のような操作性の良いＸ線管装置支持器が得られる上、小形，軽量化した移動形Ｘ線装置を提供できるなどの効果がある。
【図面の簡単な説明】
【図１】本発明の実施例を示す斜視図である。
【図２】図１のＡ−Ａ線上の断面図である。
【図３】従来の装置を示す斜視図である。
【図４】他の従来の装置を示す側面図である。
【符号の説明】
１  台車
２  スプリングバランサー
３  ワイヤロープＡ
４  ワイヤー巻取りドラムＡ
５  軸受
６  支柱受け
７  軸長
８  支柱
９  連結棒
１０  ワイヤー巻取りドラムＢ
１１  軸長
１２  滑車
１３  ワイヤーロープＢ
１４  スライダー
１５  コロ
１６  Ｘ線装置
１７  Ｘ線管装置
１８  手押しハンドル
１９  支柱
２０  バランス用ウエイト
２１  ワイヤーロープ
【図１】
0004177921.tif 000002
【図２】
0004177921.tif 000003
【図３】
0004177921.tif 000004
【図４】
0004177921.tif 000005